(57)【要約】【課題】睫毛に荷重を効果的に伝えることにより少ない力でも十分なカールを付与することができ、また、睫毛同士が互いにくっついて束になることを防ぎ、さらには、使用時に睫毛が誤って切断されることを防ぐアイラッシュカーラーの提供。【解決手段】一対のハンドル部を鋏状に開閉することにより互いに接離可能な挟圧体固定部と挟圧体可動部を備え、該挟圧体固定部の下辺部と該挟圧体可動部の上部に設けられた弾性部材により上下から睫毛を挟み込んで荷重をかける機構を有するアイラッシュカーラーであって、前記弾性部材は、前記挟圧体固定部の下辺部が当接する側の天面部において該弾性部材の長手方向に沿った２つの尾根部を有し、該２つの尾根部から尾根部間の谷部に向かって形成された傾斜面の少なくとも一方が平面状に形成されているアイラッシュカーラー。【選択図】  図４
2020092939.tif 000002
【特許請求の範囲】
【請求項１】
一対のハンドル部を鋏状に開閉することにより互いに接離可能な挟圧体固定部と挟圧体可動部を備え、該挟圧体固定部の下辺部と該挟圧体可動部の上部に設けられた弾性部材により上下から睫毛を挟み込んで荷重をかける機構を有するアイラッシュカーラーであって、前記弾性部材は、前記挟圧体固定部の下辺部が当接する側の天面部において該弾性部材の長手方向に沿った２つの尾根部を有し、該２つの尾根部から尾根部間の谷部に向かって形成された傾斜面の少なくとも一方が平面状に形成されているアイラッシュカーラー。
【請求項２】
前記弾性部材の背面壁側の尾根部の傾斜面を平面状に形成したことを特徴とする請求項１に記載のアイラッシュカーラー。
【請求項３】
前記弾性部材は、挟圧体可動部への取り付け時に外部へ露出する本体上部と、該本体上部より下方へ突設され挟圧体可動部の収納溝部に嵌入される取り付け基部とからなり、該本体上部は外側に傾斜するように形成されていることを特徴とする請求項１または２に記載のアイラッシュカーラー。
【請求項４】
前記谷部は、前記弾性部材の天面の中心より正面壁寄りに形成され、且つ、取り付け基部の中心より背面壁寄りに位置するように形成されていることを特徴とする請求項１ないし３のいずれかに記載のアイラッシュカーラー。
【請求項５】
前記挟圧体固定部の下辺部の先端部が、前記弾性部材の正面壁側の尾根部の傾斜面に当接するように形成されていることを特徴とする請求項１ないし４のいずれかに記載のアイラッシュカーラー。
【発明の詳細な説明】
【技術分野】
【０００１】
本発明は、睫毛をカールさせるためのアイラッシュカーラーに関する。
【背景技術】
【０００２】
一対のハンドル部を鋏状に開閉することにより互いに接離可能な挟圧体固定部と挟圧体可動部を備え、該挟圧体固定部の下辺部と該挟圧体可動部の上部に設けられた弾性部材により、上下から睫毛を挟み込んで荷重をかけることによりカールを施すことができるアイラッシュカーラーが知られている。
【０００３】
このアイラッシュカーラーは、挟圧体固定部の薄板状の下辺部と弾性部材により睫毛を上下から挟んだ状態で荷重をかけると、下辺部が弾性部材の天面に食い込み、それに伴い弾性部材が変形し、狭圧された睫毛にカールが付与される。
【０００４】
ところで、使用時に睫毛を挟む弾性部材は、その断面形状において天面部が略平面ないし上方へ膨出する凸状に形成されていることが一般的であった（特許文献１〜３）。
【０００５】
このように、天面部が略平面ないし上方へ隆起する凸状に形成された弾性部材の場合、挟圧体固定部の下辺部によりカールを与えるために荷重をかけた際の弾性部材の変形が比較的小さく、よって、睫毛にかかる応力も小さい。このため、睫毛に荷重が伝わりにくく、ハンドル部を握る力が弱い場合はカールが不十分のおそれがあった。従って、十分なカールを付与するためには、ハンドル部を一定以上の強さで握る必要があった。
【０００６】
しかしながら、これらの略平面ないし上方へ隆起する凸状に形成された弾性部材は、睫毛と変形した弾性部材との接触面積が小さく、睫毛の一点に集中して荷重がかかる傾向があるため、ハンドル部を必要以上に強く握った場合、狭圧された部分で睫毛が切断されるおそれもあった。
【０００７】
また、その他の形状としては、天面部が傾斜面に形成されているものもある（特許文献４）。かかる傾斜面に形成されているものは、挟圧体固定部の下辺部が当接する天面部が斜めであるため、睫毛を挟んで荷重をかけた際に下辺部が傾斜面の下側に滑ってしまい、睫毛に十分な荷重が伝わりにくかった。そのため、十分なカールを付与するためにはハンドル部を握る力に一定以上の強さが必要であった。
【０００８】
そこで、これらの課題を解決するために、特許文献５には、２つの弧状面に挟まれたＶ字状溝が弾性部材の頂部中央に形成されたアイラッシュカーラーが開示されている。
【０００９】
しかしながら、このように弾性部材の天面部に、２つの弧状面に挟まれた凹部を設けたものは、睫毛に荷重がかかり過ぎて必要以上にカールしてしまう場合があり、また、睫毛同士が互いにくっついて束になる傾向があった。    
【先行技術文献】
【特許文献】
【００１０】
【特許文献１】特開２００８−２７２３２０
【特許文献２】特開２０１２−４００３６
【特許文献３】特開２０１４−９７１２６
【特許文献４】実開昭６０−１１９３０１
【特許文献５】実用新案登録第３１９５０６３号
【発明の概要】
【発明が解決しようとする課題】
【００１１】
そこで本発明は、睫毛に荷重を効果的に伝えることにより少ない力でも十分なカールを付与することができ、また、睫毛同士が互いにくっついて束になることを防ぎ、さらには、使用時に睫毛が誤って切断されることを防ぐアイラッシュカーラーの提供をその課題とするものである。
【課題を解決するための手段】
【００１２】
本発明は、上記課題を解決するものであり、一対のハンドル部を鋏状に開閉することにより互いに接離可能な挟圧体固定部と挟圧体可動部を備え、該挟圧体固定部の下辺部と該挟圧体可動部の上部に設けられた弾性部材により上下から睫毛を挟み込んで荷重をかける機構を有するアイラッシュカーラーであって、前記弾性部材は、前記挟圧体固定部の下辺部が当接する面において該弾性部材の長手方向に沿った２つの尾根部を有し、該２つの尾根部から尾根部間の谷部に向かって形成された傾斜面の少なくとも一方が平面状に形成されているアイラッシュカーラーである。
【発明の効果】
【００１３】
本発明にかかるアイラッシュカーラーは、従来の弾性部材が凸状や平面状のものと比較して睫毛に効果的に荷重をかけることができるため、今までよりも少ない力でも適切にカールを付与することができる。そして、睫毛との接触面積が広いため、睫毛の一点に荷重が集中することなく、よって、使用中に睫毛が切断されるおそれもない。
【００１４】
また、本発明にかかるアイラッシュカーラーは、睫毛同士が互いにくっついて束になることが少ない。
【図面の簡単な説明】
【００１５】
【図１】本発明のアイラッシュカーラーの斜視図。
【図２】本発明のアイラッシュカーラーの弾性部材の斜視図。
【図３】（ａ）本発明のアイラッシュカーラーの弾性部材の平面図、（ｂ）同正面図、（ｃ）同側面図。
【図４】本発明のアイラッシュカーラーの弾性部材のＡ−Ａ′断面図。
【図５】（ａ）本発明のアイラッシュカーラーの弾性部材の使用状態を示す断面図、（ｂ）本発明のアイラッシュカーラーの弾性部材の使用状態を示す断面図
【図６】（ａ）比較例のアイラッシュカーラーの弾性部材の断面図、（ｂ）異なる比較例のアイラッシュカーラーの弾性部材の断面図。
【図７】本発明の評価方法によるアイラッシュカーラーのカール力の測定結果のグラフ。
【発明を実施するための形態】
【００１６】
以下、本発明のアイラッシュカーラーの実施態様を、図面に基づいて具体的に説明する。なお、本発明はこれら実施態様に何ら制約されるものではない。
【００１７】
図１は、本発明のアイラッシュカーラーの評価方法の対象となるアイラッシュカーラーである。図に示すように、アイラッシュカーラー１は、使用時に親指と人差し指をそれぞれ挿入可能な一対のハンドル部１１ａ、１１ｂと、該ハンドル部１１ａ、１１ｂからそれぞれ延長して形成されたアーム部１２ａ、１２ｂと、アーム部１２ａからさらに延長して二股状に分岐形成されたフレーム部１３を備える。該フレーム部１３の先端側には二股に分かれたフレーム部１３の間に掛け渡すように挟圧体固定部１５が設けられ、さらに、該挟圧体固定部１５に対して接離自在に挟圧体可動部１６が設けられている。そして、該挟圧体可動部１６の底部には接続部材１４が取り付けられている。該接続部材１４はその先端部において該挟圧体可動部１６に固着され、その後端部はアーム部１２ｂに形成された挿通孔１８に回動自在に貫入されている。
【００１８】
アーム部１２ａとアーム部１２ｂは支軸１７において回動自在に軸支されている。そして、ハンドル部１１ａ、１１ｂを鋏状に開閉することによりアーム部１２ｂの挿通孔１８側が支軸１７を支点に回動し、それに連動して接続部材１４が上下動し、さらに、この接続部材１４の動きに連動して挟圧体可動部１６が挟圧体固定部１５に対して近接または離間する。
【００１９】
挟圧体可動部１６は、平面視で使用者のまぶたの形状に沿うように湾曲した形状に形成され、図５に示すように、挟圧体固定部１５側に開放する断面略コの字形の収納溝部１６１を備え、該収納溝部１６１に弾性部材２が嵌入固定されている。また、挟圧体固定部１５は、１枚の薄板状の部材を使用者のまぶたの形状に沿うように湾曲して形成され、その下辺部１５１と弾性部材２により睫毛を上下から挟み込み、一定の荷重を加えることにより、睫毛にカールを付与することができる。
【００２０】
図２〜４は、本発明のアイラッシュカーラー１の弾性部材２の実施態様である。図に示すように、弾性部材２は、挟圧体可動部１６への取り付け時に外部へ露出する本体上部２１と、該本体上部２１より下方へ突設され、挟圧体可動部１６への取り付け時に収納部１６１に嵌入される取り付け基部２２とからなる。
【００２１】
弾性部材２は、平面視で挟圧体可動部１６と略同一の湾曲形状に形成され、本体上部２１はかかる湾曲の外周方向（外側）へと全体が倒れるように傾斜して形成されている。すなわち、使用時に内側を向く正面壁２１５はやや上方を、また、使用時に外側を向く背面壁２１６はやや下方を向くように形成されている。傾斜角度は水平面に対して、５０〜８７度の範囲が好ましく、６０〜８０の範囲が更に好ましい。なお、本明細書で「外側」、「内側」というときは、使用者側から見て外側または内側を意味する。
【００２２】
さらに、弾性部材２は、挟圧体固定部１５の下辺部１５１が当接する天面に、２つの尾根部２１１、２１２が凸設され、かかる２つの尾根部２１１、２１２に挟まれるように、谷部２１３が凹設されている。谷部２１３は、弾性部材２の天面の中心よりも正面壁２１５寄りに形成されているが、前述のように本体上部２１が外側へ傾斜しているため、天面全体も外側へとずれており、本実施態様では、谷部２１３は取り付け基部２２の中心より背面壁２１６寄りに位置するように形成されている。
【００２３】
尾根部２１１、２１２は、弾性部材２の長手方向に沿って並走するように形成されており、その頂部はともに断面形状で緩やかに弧を描いて隆起している。そして、尾根部２１１、２１２から谷部２１３に向かって形成された下り傾斜面の少なくとも一方が平面状に形成されている。本実施態様では、尾根部２１１の頂部から谷部２１３にかけて形成された傾斜面が緩やかな曲面状に形成されているのに対し、尾根部２１２から谷部２１３に向かって形成された傾斜面２１４は平面状に形成されている。
【００２４】
このように、２つの尾根部２１１、２１２から谷部２１３に向かって形成された傾斜面の少なくとも一方を平面状に形成することにより、両方とも曲面状に形成した場合よりも、睫毛に対する接触面が広くなり、カールを付与するのに十分且つ適切な荷重をかけることができる。さらに、傾斜面を平面とすることにより、睫毛同士が互いにくっついて束になることを防ぐことができる。
【００２５】
尾根部２１１、２１２から谷部２１３に向かって形成された２つの傾斜面のいずれを平面状としても良いが、本実施態様のように背面壁２１６側の尾根部２１２の傾斜面２１４を平面状とすることにより、尾根部２１１の傾斜面側に狭圧される睫毛の根元側はより強いカールを付与することができ、また、傾斜面２１４側に狭圧される毛先側は束になることを防ぐことができるため、より好ましい。
【００２６】
傾斜面２１４の傾斜角度は特に制限はないが、水平面に対して８〜３５度の範囲が好ましく、１０〜３０度の範囲がより好ましい。また、尾根部２１１から谷部２１３の傾斜面は、水平面に対して３５〜５５度の範囲が好ましく、４０〜６０度の範囲がより好ましい。
【００２７】
２つの尾根部２１１、２１２の高さは、本実施態様では同じ高さになるように形成されているが、かならずしも同一の高さとする必要はなく、いずれか一方を高く、他方を低く設けても良いが、本実施態様のように同一の高さにすることにより、睫をアイラッシュカーラーにセットする際、両方の尾根部に睫が同時に当たり安定させて挟み込むことができ、睫をカールさせる力がかかりやすくなるため、より弱い力でも睫をカールさせることが可能となる。尾根部２１１、２１２の好ましい高さは谷部２１３から０．１〜０．８ｍｍが効果的で０．２〜０．６ｍｍがより効果的である。
【００２８】
弾性部材２の硬度は特に制限はないが、ＪＩＳ Ｋ６２５３デュロメータ タイプＡに準ずる硬さが１５〜５０の範囲が好ましく、２０〜４０の範囲がより好ましい。
【００２９】
弾性部材２の材質は特に制限はないが、例えばシリコーンゴム、ウレタンゴム、アクリルゴム等が挙げられ、特にシリコーンゴムが好ましい。
【００３０】
図５（ａ）は、本発明にかかる弾性部材２を備えたアイラッシュカーラー１を用い、弾性部材２と挟圧体固定部１５の下辺部１５１により睫毛を上下から挟み込み、荷重をかける前の状態を示す。本実施態様の弾性部材２は、本体上部２１が外側に傾斜して形成されているため、下辺部１５１の先端部が谷部２１３ではなく、谷部２１３よりも正面壁２１５側の尾根部２１１の傾斜面に当接する。かかる状態で荷重をかけると、弾性部材２は弾性変形し、下辺部１５１はその先端部が谷部２１３側へとずれて、最終的には谷部２１３部分に納まる（図５ｂ）。
【００３１】
このように、下辺部１５１の当接部を谷部２１３よりも、尾根部２１１の傾斜面にすることで当接時に目元に近いところで睫をホールドし、尾根部２１１が谷部２１３寄りに変形し、より目元からカールをはじめ、睫を伸ばしながらカールできるため、睫毛に適度なカール力を与えることができる。なお、本実施態様では、下辺部１５１の当接部が、谷部２１３よりも尾根部２１１の傾斜面となるように弾性部材２を形成しているが、かかる当接位置が谷部２１３となるようにしてもよい。  
【実施例】
【００３２】
以下、本発明のアイラッシュカーラーのカール力の評価方法を、実施例を挙げて詳細に説明するが、本発明はこれら実施例に何ら限定されるものではない。なお、以下の実施例では、本発明の弾性部材２（図４）と、比較例として天面部が上方へ膨出する凸状の弾性部材（図６ａ）、天面部が内側へ向けて傾斜する弾性部材（図６ｂ）を用意し、それぞれ同じアイラッシュカーラーに取り付け、それらのカール力を評価した。なお、それらの弾性部材は形状のみ相違し、その他の材質、硬度などの条件は同じものとする。  
【００３３】
なお、以下の測定は、本出願人による特願２０１８−２０９００９に記載のアイラッシュカーラーの機能性についての評価方法と、睫毛にかかる荷重を定量化する方法、およびそれらの方法に用いられる冶具を用いることでより客観的に計測することができて好ましいが、特にそれらの測定方法や冶具に限定されるものではない。    
【００３４】
評価対象となるアイラッシュカーラーを測定用冶具にセットし、人工睫毛に対して下記の荷重条件により荷重をかけた場合に人工睫毛に付与される屈曲部の角度を計測した。かかる角度の計測方法としては、例えば、根本から睫毛の延伸方向に沿って延長線（直線）を引き、この延長線に対して睫毛が屈曲する角度を測定することで計測することができる。なお、荷重回数を４回としたのは、アイラッシュカーラーの使用時に荷重を複数回に分けて睫毛にかけることが一般的だからである。
＜荷重条件＞
荷重（ｋｇ）：０．５、１、２、３、４、５、６、８、１０
押し下げ速度：１０ｍｍ／ｓ
荷重保持時間：２秒
荷重回数：４回
【００３５】
以上の計測により得られた結果を図７のグラフに示す。グラフ中、■は本発明にかかる弾性部材、◆は凸タイプ、▲は傾斜面タイプの弾性部材の結果をそれぞれ示す。グラフに示すように、本発明のものは弱い力でも強い力でもカールしやすく、凸タイプのものは弱い力ではカールがかかりにくく、強い力ではカールがかかり、さらに、傾斜面タイプのものはカール力が弱いことが分かった。
【００３６】
以上の通り、本発明にかかるアイラッシュカーラーは、従来の弾性部材が凸状や傾斜面のものと比較して睫毛に効果的に荷重をかけることができるため、今までよりも少ない力でも適切にカールを付与することができる。そして、睫毛との変形時の接触面積が広いため、睫毛の一点に荷重が集中することなく、使用中に睫毛が切断されるおそれもない。
【符号の説明】
【００３７】
１  …  …  アイラッシュカーラー
２  …  …  弾性部材          
１１ａ  …  …  ハンドル部
１１ｂ  …  …  ハンドル部
１２ａ  …  …  アーム部
１２ｂ  …  …  アーム部
１３  …  …  フレーム部
１４  …  …  接続部材
１５  …  …  挟圧体可動部
１６  …  …  挟圧体固定部
１７  …  …  支軸
１８  …  …  挿通孔
２１  …  …  本体上部
２２  …  …  取り付け基部
１６１  …  …  収納溝部
２１１  …  …  尾根部
２１２  …  …  尾根部
２１３  …  …  谷部
２１４  …  …  傾斜面
２１５  …  …  正面壁
２１６  …  …  背面壁
Ｘ  …  …  睫毛
【図１】
2020092939.tif 000003
【図２】
2020092939.tif 000004
【図３】
2020092939.tif 000005
【図４】
2020092939.tif 000006
【図５】
2020092939.tif 000007
【図６】
2020092939.tif 000008
【図７】
2020092939.tif 000009
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
一対のハンドル部を鋏状に開閉することにより互いに接離可能な挟圧体固定部と挟圧体可動部を備え、該挟圧体固定部の下辺部と該挟圧体可動部の上部に設けられた弾性部材により上下から睫毛を挟み込んで荷重をかける機構を有するアイラッシュカーラーであって、前記弾性部材は、前記挟圧体固定部の下辺部が当接する側の天面部において該弾性部材の長手方向に沿った２つの尾根部を有し、該２つの尾根部から尾根部間の谷部に向かって形成された傾斜面のうち、前記弾性部材の背面壁側の尾根部の傾斜面が平面状に形成され、その傾斜面の傾斜角度は水平面に対して８〜３５度の範囲に形成されているアイラッシュカーラー。
【請求項２】
一対のハンドル部を鋏状に開閉することにより互いに接離可能な挟圧体固定部と挟圧体可動部を備え、該挟圧体固定部の下辺部と該挟圧体可動部の上部に設けられた弾性部材により上下から睫毛を挟み込んで荷重をかける機構を有するアイラッシュカーラーであって、前記弾性部材は、前記挟圧体固定部の下辺部が当接する側の天面部において該弾性部材の長手方向に沿った２つの尾根部を有し、該２つの尾根部から尾根部間の谷部に向かって形成された傾斜面のうち、前記弾性部材の正面壁側の尾根部の傾斜面が平面状に形成され、その傾斜面の傾斜角度は水平面に対して３５〜６０度の範囲に形成されているアイラッシュカーラー。
【請求項３】
一対のハンドル部を鋏状に開閉することにより互いに接離可能な挟圧体固定部と挟圧体可動部を備え、該挟圧体固定部の下辺部と該挟圧体可動部の上部に設けられた弾性部材により上下から睫毛を挟み込んで荷重をかける機構を有するアイラッシュカーラーであって、前記弾性部材は、前記挟圧体固定部の下辺部が当接する側の天面部において該弾性部材の長手方向に沿った２つの尾根部を有し、該２つの尾根部から尾根部間の谷部に向かって形成された傾斜面の少なくとも一方が平面状に形成され、前記弾性部材は、挟圧体可動部への取り付け時に外部へ露出する本体上部と、該本体上部より下方へ突設され挟圧体可動部の収納溝部に嵌入される取り付け基部とからなり、該本体上部は外側に傾斜するように形成されていることを特徴とするアイラッシュカーラー。
【請求項４】
一対のハンドル部を鋏状に開閉することにより互いに接離可能な挟圧体固定部と挟圧体可動部を備え、該挟圧体固定部の下辺部と該挟圧体可動部の上部に設けられた弾性部材により上下から睫毛を挟み込んで荷重をかける機構を有するアイラッシュカーラーであって、前記弾性部材は、前記挟圧体固定部の下辺部が当接する側の天面部において該弾性部材の長手方向に沿った２つの尾根部を有し、該２つの尾根部から尾根部間の谷部に向かって形成された傾斜面の少なくとも一方が平面状に形成され、前記谷部は、前記弾性部材の天面の中心より正面壁寄りに形成され、且つ、取り付け基部の中心より背面壁寄りに位置するように形成されていることを特徴とするアイラッシュカーラー。
【請求項５】
一対のハンドル部を鋏状に開閉することにより互いに接離可能な挟圧体固定部と挟圧体可動部を備え、該挟圧体固定部の下辺部と該挟圧体可動部の上部に設けられた弾性部材により上下から睫毛を挟み込んで荷重をかける機構を有するアイラッシュカーラーであって、前記弾性部材は、前記挟圧体固定部の下辺部が当接する側の天面部において該弾性部材の長手方向に沿った２つの尾根部を有し、該２つの尾根部から尾根部間の谷部に向かって形成された傾斜面の少なくとも一方が平面状に形成され、前記挟圧体固定部の下辺部の先端部が、前記弾性部材の正面壁側の尾根部の傾斜面に当接するように形成されていることを特徴とするアイラッシュカーラー。